【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
フルサイズキーボードの第１の部分を含む第１のポータブルコンピューティング装置と、
前記フルサイズキーボードの第２の部分を含み、前記第１の部分と前記第２の部分が連係して前記フルサイズキーボードのキーを構成する、第２のポータブルコンピューティング装置と、
前記第１のポータブルコンピューティング装置を前記第２のポータブルコンピューティング装置と接続するネットワークリンクと、
前記第１のポータブルコンピューティング装置のメモリにロードされる第１の部分的なキーボードマップと、
前記第２のポータブルコンピューティング装置のメモリにロードされる第２の部分的なキーボードマップとを備え、前記第１および第２の部分的なキーボードマップが、前記第１および第２のポータブルコンピューティング装置が連係動作して前記フルサイズキーボードの前記第１および第２の部分によるテキスト入力を実現することを可能にするよう動作する、ネットワーク接続されたコンピューティング装置。
【請求項２】
前記フルサイズキーボードが通常のＱＷＥＲＴＹキーボードである、請求項１に記載のネットワーク接続されたコンピューティング装置。
【請求項３】
前記ネットワークリンクが柔軟な有線ケーブルを含む、請求項２に記載のネットワーク接続されたコンピューティング装置。
【請求項４】
前記ネットワークリンクが無線リンクを含む、請求項２に記載のネットワーク接続されたコンピューティング装置。
【請求項５】
前記無線リンクが前記第１のポータブルコンピューティング装置と前記第２のポータブルコンピューティング装置との間でＢｌｕｅｔｏｏｔｈプロトコルを利用する、請求項３に記載のネットワーク接続されたコンピューティング装置。
【請求項６】
前記第１のポータブルコンピューティング装置がスレーブ装置として指定され、前記フルサイズキーボードの前記第１の部分が前記通常のＱＷＥＲＴＹキーボードの左側にあるキーを含み、
前記第２のポータブルコンピューティング装置がマスタ装置として指定され、前記フルサイズキーボードの前記第２の部分が前記通常のＱＷＥＲＴＹキーボードの右側にあるキーを含む、請求項５に記載のネットワーク接続されたコンピューティング装置。
【請求項７】
前記第１のポータブルコンピューティング装置が携帯電話、個人用携帯情報端末（ＰＤＡ）、およびポータブルノートブックコンピュータのうちの１つである、請求項１に記載のネットワーク接続されたコンピューティング装置。
【請求項８】
前記第２のポータブルコンピューティング装置が携帯電話、個人用携帯情報端末（ＰＤＡ）、およびポータブルノートブックコンピュータのうちの１つである、請求項１に記載のネットワーク接続されたコンピューティング装置。
【請求項９】
複合データ入力装置を提供する方法であって、
フルサイズキーボードの第１の部分を含み、前記フルサイズキーボードが通常のＱＷＥＲＴＹキーボードに対応する第１のポータブルコンピューティング装置を提供するステップと、
前記フルサイズキーボードの第２の部分を含み、前記第１の部分と前記第２の部分が連係して前記フルサイズキーボードのキーを構成する第２のポータブルコンピューティング装置を提供するステップと、
前記第１のポータブルコンピューティング装置を前記第２のポータブルコンピューティング装置と接続するネットワークリンクを確立するステップと、
前記第１のポータブルコンピューティング装置のメモリに第１の部分的なキーボードマップをロードするステップと、
前記第２のポータブルコンピューティング装置のメモリに第２の部分的なキーボードマップをロードするステップと、
前記第１および第２のポータブルコンピューティング装置が連係動作して前記フルサイズキーボードの前記第１および第２の部分によるテキスト入力を実現するよう構成するステップとを含む方法。
【請求項１０】
前記ネットワークリンクが柔軟な有線ケーブルを含む、請求項９に記載の方法。
【請求項１１】
前記ネットワークリンクが無線リンクを含む、請求項１０に記載の方法。
【請求項１２】
前記無線リンクが前記第１のポータブルコンピューティング装置と前記第２のポータブルコンピューティング装置との間でＢｌｕｅｔｏｏｔｈプロトコルを利用する、請求項１１に記載の方法。
【請求項１３】
前記第１のポータブルコンピューティング装置をスレーブ装置として指定し、前記フルサイズキーボードの前記第１の部分を、前記通常のＱＷＥＲＴＹキーボードの左側にあるキーを含むよう割り当てるステップと、
前記第２のポータブルコンピューティング装置をマスタ装置として指定し、前記フルサイズキーボードの前記第２の部分を、前記通常のＱＷＥＲＴＹキーボードの右側にあるキーを含むよう割り当てるステップとをさらに含む、請求項１２に記載の方法。
【請求項１４】
前記第１のポータブルコンピューティング装置が前記第２のポータブルコンピューティング装置の所定の有効距離内にあるときに、前記第１および第２のポータブルコンピューティング装置の間にＢｌｕｅｔｏｏｔｈ無線リンクを確立するステップと、
前記第１および第２のポータブルコンピューティング装置の間でハートビート信号が伝送されている限り、または、前記第１または第２のポータブルコンピューティング装置によってキー入力作業が検出されている限り、前記無線リンクを維持するステップと、
終了作業が検出された時点で前記無線リンクを閉じるステップとをさらに含む、請求項１３に記載の方法。
【請求項１５】
前記第１のポータブルコンピューティング装置が携帯電話、個人用携帯情報端末（ＰＤＡ）、およびポータブルノートブックコンピュータのうちの１つであり、
前記第２のポータブルコンピューティング装置が携帯電話、個人用携帯情報端末（ＰＤＡ）、およびポータブルノートブックコンピュータのうちの１つである、請求項９に記載の方法。
【請求項１６】
前記第１のポータブルコンピューティング装置がタッチ感応式ディスプレイを含む方法であって、前記通常のＱＷＥＲＴＹキーボードの左側のキーのうちの１つまたは複数を、前記第１のポータブルコンピューティング装置の前記タッチ感応式ディスプレイの一部分において具現化されるように割り当てるステップをさらに含む、請求項１３に記載の方法。
【請求項１７】
通常のＱＷＥＲＴＹキーボードの第１の部分を含む第１のポータブルコンピューティング装置であって、当該キーボードの第１の部分が、それ自体で第１のポータブルコンピューティング装置用の完全に機能するキーボードとして機能するよう動作する第１のポータブルコンピューティング装置と、
通常のＱＷＥＲＴＹキーボードの第２の部分を含む第２のポータブルコンピューティング装置であって、当該キーボードの第２の部分が、第２のポータブルコンピューティング装置用の完全に機能するキーボードとして機能するよう動作する第２のポータブルコンピューティング装置と、
通常のＱＷＥＲＴＹキーボードの第１の部分と第２の部分とを共に接続した伝送リンクと、
第１のポータブルコンピューティング装置と第２のポータブルコンピューティング装置の少なくとも一方に接続され、完全な通常のＱＷＥＲＴＹキーボードとして連携して動作させるために通常のＱＷＥＲＴＹキーボードの第１の部分と第２の部分とを適合させるように動作する論理回路と、
を備えたコンピューティング装置。
【請求項１８】
第１のポータブルコンピューティング装置が、携帯電話、個人用携帯情報端末（ＰＤＡ）、ゲームコンソール、パーソナルメディアプレイヤー及びポータブルコンピュータのうちの１つである請求項１７に記載のコンピューティング装置。
【請求項１９】
第２のポータブルコンピューティング装置が、携帯電話、個人用携帯情報端末（ＰＤＡ）、ゲームコンソール、パーソナルメディアプレイヤー及びポータブルコンピュータのうちの１つである請求項１８に記載のコンピューティング装置。
【請求項２０】
伝送リンクが、無線リンク及び物理的な有線リンクのうちの１つである請求項１９に記載のコンピューティング装置。
【請求項２１】
無線リンクが、第１のポータブルコンピューティング装置と第２のポータブルコンピューティング装置との間の無線プロトコルを利用し、無線プロトコルが、Ｂｌｕｅｔｏｏｔｈ、ＷｉＦｉ、赤外線、ＮＦＣ（near
field communications）及びＺｉｇｂｅｅのプロトコルのうちの１つを含む請求項２０に記載のコンピューティング装置。
【請求項２２】
第１のポータブルコンピューティング装置が、無線プロトコルに準拠して第２のポータブルコンピューティング装置の有効距離範囲内にある際に、前記論理回路が、完全な通常のＱＷＥＲＴＹキーボードとして連携して動作させるために通常のＱＷＥＲＴＹキーボードの第１の部分と第２の部分とを適合させる請求項２１に記載のコンピューティング装置。
【請求項２３】
第１のポータブルコンピューティング装置が開始装置であり、第２のポータブルコンピューティング装置がアクセスポイントであり、アクセスポイントが開始装置に対して予め規定された近距離内に存在する場合に、開始装置がアクセスポイントと伝送リンクを確立する請求項２２に記載のコンピューティング装置。
【請求項２４】
各部分的なキーボードマップが、通常のＱＷＥＲＴＹキーボードの第１の部分と第２の部分のそれぞれに割り当てられた初期設定のキーボードマップを代替する請求項２２に記載のコンピューティング装置。
【請求項２５】
第１のポータブルコンピューティング装置が、通常のＱＷＥＲＴＹキーボードの第１の部分のキーに第１の部分的なキーボードマップを割り当てるためのスイッチを含む請求項２４に記載のコンピューティング装置。
【請求項２６】
第２のポータブルコンピューティング装置が、通常のＱＷＥＲＴＹキーボードの第２の部分のキーに第２の部分的なキーボードマップを割り当てるためのスイッチを含む請求項２４に記載のコンピューティング装置。
【請求項２７】
第１のポータブルコンピューティング装置がタッチ感応式ディスプレイを備え、第１の部分的なキーボードマップと第２の部分的なキーボードマップの１以上のキーが、タッチ感応式ディスプレイに表示される請求項２６に記載のコンピューティング装置。